(57)【要約】【課題】  錘負荷の影響を受けずに餌が生きているような繊細な誘いができ、魚の種類や活性に応じてハリ掛り調整ができる釣用天秤仕掛けを提供することにある。【解決手段】  釣糸１１を天秤２１の両端にある環状部３，５に挿通させた状態で、釣糸１１に環状部５の釣針側に環状部５の内径より外径の大きなリング部材６（第１規制手段）を配置した。符号２２方向（釣竿側）へ引っ張ったとき、錘負荷を受けずに天秤４がしなり、釣針（餌）が動いているかのような誘いができるようにした。さらに、リング部材６の釣針側に移動可能なうき止めゴム１０（第２規制手段）を配置することで、リング部材６の固定配置を自由に制御することで、天秤４のしなり量を調整できるようにした。【選択図】  図３
2009240169.tif 000002
【特許請求の範囲】
【請求項１】
天秤に予め錘の取付固定された錘固定式又は錘の着脱自在な錘交換式の天秤本体と、天秤の両端に設けられた環状部を挿通する釣糸とを備えた天秤仕掛けであって、釣針側環状部と釣針の間の釣糸に当該釣針側環状部を挿通しない外径を有して釣糸の道糸側（釣竿側）への移動を規制する第１規制手段を備えたことを特徴とする天秤仕掛け。
【請求項２】
第１規制手段による規制を制御して天秤のしなり量を調整可能とする第２規制手段を第１規制手段と釣針の間の釣糸に備えたことを特徴とする請求項１記載の天秤仕掛け。
【請求項３】
道糸側（釣竿側）環状部と釣竿の間の釣糸に当該道糸側（釣竿側）環状部を挿通しない外径を有して釣糸の釣針側への移動を規制する第３規制手段と、第３規制手段による規制を制御して釣糸の移動量を調整可能とする第４規制手段を第３規制手段と釣竿の間の釣糸に備えたことを特徴とする請求項１又は２記載の天秤仕掛け。
【請求項４】
釣針側環状部と道糸側環状部との間の釣糸に当該道糸側（釣竿側）環状部を挿通しない外径を有して釣糸の道糸側（釣竿側）への移動を規制する第５規制手段を備えたことを特徴とする請求項１，２又は３記載の天秤仕掛け。
【請求項５】
天秤本体の錘が、流されにくい底形状をしていることを特徴とする請求項１，２，３又は４記載の天秤仕掛け。
【請求項６】
天秤本体の錘が、左右の誘いができる底形状をしていることを特徴とする請求項１，２，３，４又は５記載の天秤仕掛け。
【請求項７】
釣糸を通すとともに釣針側環状部に挿通して釣針側へ延びるパイプ部材であって、パイプ部材の道糸側（釣竿側）端部から釣針側へ位置する内部には釣針側環状部を挿通しない外径を有してパイプ部材の道糸側（釣竿側）への移動を規制する第６規制手段と、パイプ部材の道糸側（釣竿側）端部には釣針側環状部を挿通しない外径を有してパイプ部材の釣針側への移動を規制する第７規制手段を備えたことを特徴とする請求項１，２，３，４，５又は６記載の天秤仕掛け。
【発明の詳細な説明】
【技術分野】
【０００１】
本発明は、錘負荷を背負わずに誘いができる釣具に関するものである。
【背景技術】
【０００２】
天秤を使用した仕掛け（天秤仕掛け）に関しては、特許文献１に開示されている天秤の他、これまでに様々なものが開発されている。
図１に、この錘固定式天秤仕掛けの基本的構造を示す。図示する天秤仕掛けは、天秤２１に環状部３，５を設け、これらに釣糸部１１を挿通し、リング部材１２を設けて、天秤２１のスライド量を一定の範囲内に規制するように設定されている。
図２に、錘交換式天秤仕掛けの基本的構造を示す。道糸１４は環状部３に組みつけられたヨリモドシ１３に繋がれている。ハリス１６は環状部５に組みつけられたサルカン１５に繋がれている。
【０００３】
【特許文献１】特開２００２−１２５５５２号公報
【発明の開示】
【発明が解決しようとする課題】
【０００４】
しかしながら、図１、図２に示すような天秤仕掛けには、以下のような課題がある。
（１）道糸１４を符号２２方向（釣竿側）に引いて誘いを掛けたとき、錘の負荷を受けるため、繊細な誘いができない。
（２）図１の構造は、スライド範囲を調整することができない。
（３）図２の構造は、スライド機構がない。
【０００５】
そこで、本願発明者は、砂地に生息するキスやカレイ等や中間層を生息場所としている鯛や鯵釣等、釣竿を使う釣法において、錘負荷の影響を受けずに自在な誘いが掛けられ、釣糸のスライド量を変えられることにより、餌が生きているような繊細な誘いと、針掛り効果を上げる天秤仕掛けを提供する目的として、本願発明の完成に至った。
【課題を解決するための手段】
【０００６】
上記目標を達成するために、第１の発明は、天秤に予め錘の取付固定された錘固定式又は錘の着脱自在な錘交換式の天秤本体と、天秤の両端に設けられた環状部を挿通する釣糸とを備えた天秤仕掛けであって、釣針側環状部と釣針の間の釣糸に当該釣針側環状部を挿通しない外径を有して釣糸の道糸側（釣竿側）への移動を規制する第１規制手段を備えたことを特徴とする天秤仕掛けである。
第２の発明は、第１規制手段による規制を制御して天秤のしなり量を調整可能とする第２規制手段を第１規制手段と釣針の間の釣糸に備えたことを特徴とする天秤仕掛けである。
第３の発明は、道糸側（釣竿側）環状部と釣竿の間の釣糸に当該道糸側（釣竿側）環状部を挿通しない外径を有して釣糸の釣針側への移動を規制する第３規制手段と、第３規制手段による規制を制御して釣糸の移動量を調整可能とする第４規制手段を第３規制手段と釣竿の間の釣糸に備えたことを特徴とする天秤仕掛けである。
第４の発明は、釣針側環状部と道糸側環状部との間の釣糸に当該道糸側（釣竿側）環状部を挿通しない外径を有して釣糸の道糸側（釣竿側）への移動を規制する第５規制手段を備えたことを特徴とする天秤仕掛けである。
第５の発明は、天秤本体の錘が、流されにくい底形状をしていることを特徴とする天秤仕掛けである。
第６の発明は、天秤本体の錘が、左右の誘いができる底形状をしていることを特徴とする天秤仕掛けである。
第７の発明は、釣糸を通すとともに釣針側環状部に挿通して釣針側へ延びるパイプ部材であって、パイプ部材の道糸側（釣竿側）端部から釣針側へ位置する内部には釣針側環状部を挿通しない外径を有してパイプ部材の道糸側（釣竿側）への移動を規制する第６規制手段と、パイプ部材の道糸側（釣竿側）端部には釣針側環状部を挿通しない外径を有してパイプ部材の釣針側への移動を規制する第７規制手段を備えたことを特徴とする天秤仕掛けである。
【発明の効果】
【０００７】
本願発明によれば、以下のような効果を有する。
（１）釣糸を釣竿方向へ引っ張ると、釣糸は第１規制手段及び第２規制手段によってその移動が制限され、その引っ張り応力は釣針側の天秤に伝わり、当該天秤がしなる。その当該天秤のしなりに応じてハリス先の釣針（餌）が動くので、当該天秤のしなりを利用して自在な誘いを仕掛けることができる。しかも、本願発明では、第２規制手段を利用して第１規制手段の位置を移動することにより、釣針側の天秤のしなり（誘い）量を調整できることから、魚の種類や捕食活性状況に合わせた誘いができる（請求項１又は２に係る発明の効果）。
（２）また、魚の捕食からハリ掛りまでは、魚の種類や活性状況よって異なることが多い。従って、魚を針掛りさせるまでのスライド量は第３規制手段及び第４規制手段によってその移動が制限される。本願発明では、第４規制手段を利用して第３規制手段を移動させることにより、スライド量の調整が行えるため、魚のハリ掛り調整をスムーズに行うことができ、釣果を上げることができる（請求項３に係る発明の効果）。
（３）この天秤仕掛けは、竿を用いた釣りに適用するため、投入をスムーズに行う必要があるが、第５規制手段が釣針側の天秤のしなり過ぎを制限することにより、投入時の糸がらみを防止することができる（請求項４に係る発明の効果）。
（４）天秤本体の錘が、流されにくい底形状をしていることで、道糸１１を２２方向へ引っ張った時、天秤本体が動きにくくなるため、有効な誘いができる（請求項５に係る発明の効果）。
（５）天秤本体の錘が、左右の誘いができる形状をしていることで、ハリス先の釣針（餌）に対して新たな動きを与え、有効な誘いができる（請求項６に係る発明の効果）。
（６）釣糸がパイプ部材を有することで、釣糸を釣竿側へ引っ張ると、まず先にパイプ部材が釣針側の環状部を軸にしてテコの動きによるハリス先の釣針（餌）をうごかし、次に、当該天秤のしなりに応じてハリス先の針（餌）を動かす。この結果、ハリス先の針（餌）に対して２段階の動きを与えることができ、より自在な誘いを仕掛けることができる（請求項７に係る発明の効果）。
【発明を実施するための最良の形態】
【０００８】
まず、第１実施形態について説明する（請求項１，２，３及び４に対応）。
図３は、本願発明の第１実施形態に係る天秤仕掛けの構造を示す説明図である。
図３に示す天秤仕掛け２３は、釣糸１１と、釣糸１１に装着された天秤本体２１と、釣糸１１の先端に設けられた釣針１７を備えている。
【０００９】
天秤本体２１は、天秤２，４と錘１とを有している。釣糸１１は天秤２１に懸架された状態で装着されている。 
天秤２，４は、線状のステンレス鋼等により構成されており、その先端にはリング状の環状部３，５が形成されている。天秤２，４の長さや太さは限定されることはなく、設定することができる。天秤２，４の材質は、ステンレス鋼に限定されることはなく、他の金属や樹脂等を採用する事ができる。また、天秤２，４の形状は線状に限定されることはなく、正方形や長方形、楕円形を採用する事ができる。外観にはメッキ、塗装等の装飾を採用する事ができる。
環状部３，５は、釣糸１１が挿通されるものであるから、環状部３，５の内径は、釣糸１１が円滑にスライドできる寸法に設定する必要がある。環状部３，５の内径として、たとえば１ｍｍ〜４０ｍｍ程度に設定することができる。
【００１０】
錘１は、天秤仕掛け２３を所要の水深まで沈めたり、天秤４にしなり（誘い）動作をさせるためのものであり、図３に示す天秤２，４と一体に組み合わせた錘固定式のものである。天秤２，４との組合せ方式は、鋳込みや圧入、ねじ込み等を採用する事ができる。錘１の材質は、鉛系や高比重樹脂などが採用することができ、外観には、メッキ、塗装等の装飾を採用する事ができる。
道糸１４は、たとえばナイロン等により構成され、図示省略する竿から送り出されているものである。
ヨリモドシ１３は、一般的に市販されている公知のものを採用することができ、道糸１４と釣糸１１との撚れを取るための役割を果たす。
【００１１】
釣糸１１には、ヨリモドシ１３を結束し、うき止めゴム９、リング部材８、リング部材１２、ストッパー部材７、リング部材６、うき止めゴム１０を順次配置し、その先端にスナップサルカン１５を結束させた。そして、この端部に連結されたハリス１６に結ばれた釣針１７とを有した天秤仕掛けである。釣糸１１の材質は、誘える天秤仕掛けの投入時の糸絡みを防止するため、強度が強く、撚れにくい、一般的に市販されている公知の釣仕掛け用ワイヤーを採用しているが、ナイロン系やポリエチレン系、フロロカーボン等を用いることができる。
【００１２】
また、天秤本体２１は、釣糸１１を環状部３，５に挿通させてあり、天秤本体２１の位置は、リング部材８とリング部材１２との間に、環状部３を配置し、ストッパー７とリング部材６との間に、環状部５が位置するよう構成されている。
そして、リング部材６，８，１２は、たとえば樹脂やステンレス鋼等により円形や楕円形を構成することができ、本実施形態では、円形に形成されている。リング部材６、８、１２の内径は、釣糸１１の外径より大きい寸法設定されている。また、リング部材６の外径は、天秤４の環状部５の内径よりも大きい寸法に設定されており、リング部材８，１２の外径は、天秤２の環状部３の内径よりも大きい寸法に設定されている。
【００１３】
リング部材６，８，１０を上記のような寸法にすることで、各リング部材は以下のような役割を果たすことになる。
（１）リング部材６：釣糸１１の道糸側（釣竿側）への移動２２を規制する第１規制手段となる。
（２）リング部材８：釣糸１１の釣針側１７への移動を規制する第３規制手段となる。
（３）リング部材１０：後記するストッパー部材７と相まって釣糸１１の道糸側（釣竿側）への移動２２を規制する第５規制手段となる。
【００１４】
また、うき止めゴム９，１０は、たとえば天然ゴムや合成ゴムを原料とした、一般的に市販されている公知のものを採用する事ができる。うき止めゴム９，１０はリング部材８，１０の規制や規制位置を移動させるためのものであるため、その固定や移動の力は、釣糸１１の太さによって、うき止めゴムの大きさや種類が決定される。
ここで、うき止めゴム９は、リング部材８とヨリモドシ１３との中間に装着し、リング部材８を規制するための役割を果たす構造であり、第４規制手段となる。
また、うき止めゴム１０は、リング部材６とスナップサルカン１５との中間に装着し、リング部材６を規制するための役割を果たす構造であり、第２規制手段となる。
【００１５】
ストッパー部材７は、たとえばステンレス鋼等の中空パイプ状に形成された一般的に市販されている公知のスリーブを採用することができ、所定の位置に圧着固定されている。本実施形態では、ストッパー部材７は、釣糸１１が２２方向へ引っ張られた時、天秤４にしなりが生じるが、しなり量は、ストッパー部材７が２２方向へ移動し、リング部材１２を押して環状部３で規制された状態が最大となる。天秤仕掛け２３を投入する場合はこの状態となるが、ストッパー部材７により、天秤４の曲がり過ぎを制限することができる構造である。従って、上記のように、リング部材１０とストッパー部材７の組合せによって第５規制手段が成立する。
【００１６】
ストッパー部材７は、環状部３と５の中間にあり、釣糸１１に固定されているものであるので、これに変わり、一般的に市販されている公知の環状部３の内径より大きい外径を持つヨリモドシやスナップサルカンを採用することができる。このとき、リング部材１２を削除することもできる構造である。
【００１７】
うき止めゴム１０は、その位置を変えることにより、天秤４のしなり量を調整することができる構造となっている（第２規制手段）。うき止めゴム１０をリング部材６の方向へ移動させることにより、しなり量は大きくなり、また、逆のスナップサルカン１５方向へ移動させることにより、しなり量を少なくすることができる。
したがって、うき止めゴム１０は、これを移動することによって、天秤仕掛けを投入時のしなり量や、魚を誘う動作の天秤４のしなり（誘い）量を調整できる特徴を持った構造である。しかしながら、本実施形態では、天秤仕掛けの大小や、一定の対象魚などに応じて、うき止めゴム１０を使用せず（第２規制手段を使用せず）、一定のしなり（誘い）量にすることもできる。
【００１８】
また、うき止めゴム９は、その位置を変えることにより、釣糸１１のスライド量を調整することができる構造となっている（第４規制手段）。うき止めゴム９をリング部材８の方向へ移動させることにより、スライド量は少なくなり、ヨリモドシ１３方向へ移動させることによりスライド量を大きくさせることもできる。
【００１９】
スナップサルカン１５は、ハリス１６の捩れを修正し、ハリス１６の交換を簡単にするためのものである。釣の対象魚により一般的に市販されている公知のものから、選択することができる。
ハリス１６は、釣針１７に結び付けるためのものであり、たとえばナイロン等により構成することができる。
また、針１７は、釣の対象魚により一般的に市販されている公知のものから、選択することができる。
【００２０】
次に、本実施形態による天秤仕掛け２３の作用効果について説明する。
（１）まず、天秤仕掛け２３の釣針１７に餌をつけて海中に投入し、所定の水深まで沈める。
（２）道糸１４を２２方向へ引いた時、本実施形態の天秤仕掛けにおける最初の規制は、釣糸１１に固定されたうき止めゴム１０（第２規制手段）が２２方向へ移動し、リング部材６（第１規制手段）が天秤４の環状部５に接触し、移動の規制を受ける。そして、道糸１４をさらに２２方向へ引くと天秤４がしなり、道糸１４を緩めると天秤１４のしなりは、反発して元にもどる。この一連の動作は竿先を前後に動かすことによって、その動きがハリス１６に伝わり、釣針１７に付けられた餌が前後に動く。この動きが、魚への誘いとなり、捕食を活性化させられる。
（３）また、魚が餌を捕食しようとした場合には、釣糸１１が反２２方向（釣針１７側）へ引っ張られる。このとき、道糸１１は天秤本体２１の負荷に妨げられることなく、引っ張られた方向に自在にスライドすることができるから、餌を捕食する魚に違和感を防止することができる。さらに、釣糸１１に固定されたうき止めゴム９（第４規制手段）が反２２方向（釣針１７側）へ移動し、リング部材８（第３規制手段）が天秤２の環状部３に接触することによりスライド規制が働き、針掛りする。この時、このスライド量はうき止めゴム９（第４規制手段）を移動させることによって、調整できる機構となっていることから、状況に応じたスライド量を設定し、魚の針掛かり効果を上げることができる。
【００２１】
次に、第２実施形態について説明する（請求項５及び６に対応）。
図３における錘１の形状は、天秤仕掛け２３が自立しやすい形状とする。
たとえば、通常は自立を重視し、図４の底形状は平面形状を採用することができるが、図５のように錘１の底形状を凹形状とすることによって、凹形状が海底の砂を包み込むことになり、錘１が流されにくく、動きにくくなる。結果として、天秤４のしなり（誘い）をより効果的にする形状として採用することができる。
また、図６のように、錘１の底形状をＶ（船底）型とすることによって、海底の凹凸に応じて天秤仕掛けが左右に傾く。このような、左右の動きを魚の誘いとして追加できる形状のものを採用することができる。
【００２２】
続いて、第３実施形態について説明する（請求項７に対応）。
図７は、本願発明の第２実施形態に係る天秤仕掛け２６の構造を示す図である。
図７に示す天秤仕掛け２６が第１実施形態と異なる点は、図３に示す天秤仕掛け２３の環状部５に、たとえば、金属性スプリング製中空パイプ１９の外側にポリ塩ビ管等の管２４を挿入し、その両端に環状部５の内径より外径の大きなリング部材２８，１８によってこの間を自在に摺動する構造となっている点である。
また、中空パイプ１９の針側の先端には、釣糸１１をガイドするリング部材２０が設けられている構造となっている。
【００２３】
これらのリング部材２８，２０，１８は、たとえば樹脂やステンレス鋼等により円形や楕円形を構成することができ、本実施形態では、円形に形成されている。また、組み付けは、接着やねじ込みにより固定される構造になっている。そして、各リング部材は以下のような役割を果たすことになる。
（１）リング部材２８：中空パイプ組立部２５の道糸側（釣竿側）２２への移動を規制する第６規制手段となる。
（２）リング部材２０：釣糸１１が中空パイプ１９の内径端面との接触を回避し、釣糸１１の摺動を妨げることを防止する構造になっている。
（３）リング部材１８：中空パイプ組立部２５の釣針側１７への移動を規制する第７規制手段となる。
【００２４】
錘固定式の天秤仕掛け２３の環状部５に取り付けられた中空パイプ組立部２５において、釣糸１１は中空パイプ１９に挿通していることにより、天秤本体２１の負荷に妨げられることなく、引っ張られた方向に自在にスライドできる構造となっている。
道糸１４をたるませた状態では中空パイプ組立部２５の先端は下を向いているが、道糸１４を２２方向へ引くとテコ式中空パイプ２５は釣糸１１と垂直になる動きする。さらに２２方向へ引くと中空パイプ組立部２５は道糸１１との垂直を保った状態で天秤４がしなる。この一連の動作が魚への誘いとなる。
【００２５】
また、第４実施形態について説明する。
図８は、本願発明の第４実施形態に係る天秤仕掛け２７の構造を示す図である。
図８に示す天秤仕掛け２７は、錘交換式の天秤に誘い動作ができる構造となっているが、この他に以下のような構造を追加できる特徴がある。
（１）天秤４の先端の環状部５に、第３実施形態で使用した第中空パイプ組立部２５を取り付けることができる構造となっている。
（２）また、錘は釣の状況に応じて交換できる天秤仕掛けであることから、集魚材を入れるかごや錘付かごを使用することができる構造となっている。
（３）さらに、この天秤仕掛けは、錘１の取り付け部分に次の天秤仕掛け２７のヨリモドシ１３を組み付けることにより、何層にも連結して使うことのできる構造となっている。
【産業上の利用可能性】
【００２６】
本願発明の「天秤仕掛け」は、釣用の仕掛けとして幅広く利用できるものである。
【図面の簡単な説明】
【００２７】
【図１】従来技術（特許文献１）を説明する説明図。
【図２】その他の従来技術を説明する説明図。
【図３】第１実施形態を説明する説明図。
【図４】第２実施形態を説明する説明図（その１）。
【図５】第２実施形態を説明する説明図（その２）。
【図６】第２実施形態を説明する説明図（その３）。
【図７】第３実施形態を説明する説明図。
【図８】第４実施形態を説明する説明図。
【符号の説明】
【００２８】
１．錘
２．天秤
３．環状部
４．天秤
５．環状部
６．リング部材
７．ストッパー
８．リング部材
９．うき止めゴム
１０．うき止めゴム
１１．釣糸
１２．リング部材
１３．ヨリモドシ
１４．道糸
１５．スナップサルカン
１６．ハリス
１７．釣針
１８．リング部材
１９．中空パイプ
２０．リング部材
２１．天秤本体
２２．引っ張り方向
２３．天秤仕掛け
２４．管
２５．中空パイプ組立部
２６．天秤仕掛け
２７．天秤仕掛け
２８．リング部材
【図１】
2009240169.tif 000003
【図２】
2009240169.tif 000004
【図３】
2009240169.tif 000005
【図４】
2009240169.tif 000006
【図５】
2009240169.tif 000007
【図６】
2009240169.tif 000008
【図７】
2009240169.tif 000009
【図８】
2009240169.tif 000010